(57)【特許請求の範囲】
【請求項１】
ＩＣチップを設けた資格証カードから顧客の識別子を読取るカードリード部と表示部とを有する自動取引装置と、資格に関わる違反情報を顧客の識別子に関連づけて記憶する管理サーバとを備えた自動取引システムであって、
前記自動取引装置は、違反に関わる金融取引を行うとき、前記カードリード部によって顧客の資格証カードから識別子を読取り、その識別子を前記管理サーバに送信し、
前記管理サーバは、受信した識別子に関連する違反情報及び金融取引金額を前記自動取引装置に送信し、
前記自動取引装置は、受信した違反情報及び金融取引金額を前記表示部に表示し、顧客によりその金融取引が行われると、前記管理サーバに違反に関わる金融取引が実行されたことを示す通知を送信することを特徴とする自動取引システム。
【請求項２】
請求項１に記載の自動取引システムにおいて、
前記資格証カードにその所有者である顧客の住所、氏名を記憶し、
前記カードリード部は、顧客の取引カードから口座情報を読取る機能を備え、
口座情報に関連づけて顧客の氏名、住所を記憶する上位装置を有し、
前記自動取引装置は、前記資格証カードから顧客の住所、氏名を読取っておき、前記カードリード部で顧客の取引カードから口座情報を読取ってその口座情報を前記上位装置に送信し、
前記上位装置は、口座情報をもとに記憶している住所、氏名を読出して前記自動取引装置に送信し、
前記自動取引装置は、前記上位装置から受信した住所、氏名と、前記資格証カードから読取っている住所、氏名とを照合し、その結果から住所、氏名の一方、または両方が不一致の場合、前記資格証カードから読取った住所、氏名を前記上位装置に送信することで、前記上位装置に記憶している個人情報を変更可能としたことを特徴とする自動取引システム。
【請求項３】
表示部と、ＩＣチップを設けた顧客の資格証カードから顧客の識別子を読取るカードリード部とを有する自動取引装置であって、
取引を行うとき、前記カードリード部によって顧客の資格証カードから識別子を読取り、その識別子を管理サーバに送信することで、管理サーバから該識別子に関連する資格に対する違反情報及び金融取引金額を受信し、その違反情報及び金融取引金額を前記表示部に表示し、顧客により金融取引が行われると、前記管理サーバに違反に関わる金融取引が実行されたことを示す通知を送信することを特徴とする自動取引装置。
【請求項４】
請求項３に記載の自動取引装置において、
前記資格証カードにその所有者である顧客の住所、氏名を記憶し、
前記カードリード部は、顧客の取引カードから口座情報を読取る機能を備え、
前記資格証カードから顧客の住所、氏名を読取っておき、前記カードリード部で顧客の取引カードから口座情報を読取ってその口座情報を上位装置に送信することで、前記口座情報にもとづく住所、氏名を受信し、その住所、氏名と、前記資格証カードから読取っている住所、氏名とを照合し、その結果から住所、氏名の一方、又は両方が不一致の場合、前記資格証カードから読取った住所、氏名を前記上位装置に送信することで、前記上位装置に記憶している個人情報を変更可能としたことを特徴とする自動取引装置。
【発明の詳細な説明】
【技術分野】
【０００１】
本発明は、自動取引装置及びそれを用いた自動取引システムに関し、特にＩＣチップを備えた顧客の身分証明書を用いて行う処理に関する。
【背景技術】
【０００２】
従来の自動取引装置は、ＩＣカード運転免許証に格納された情報を読取ると共に、顧客が新規口座開設のために記入した申し込み用紙のイメージから記載内容を認識し、読取った情報と認識した記載内容とから顧客の氏名や生年月日等の事項を照合して一致していれば、その顧客に対して新規の口座を開設するための処理を実行するようにしている（例えば、特許文献１参照。）。
【特許文献１】特開２００５−１６５８５７号公報（段落「００５４」−段落「００５５」）
【発明の開示】
【発明が解決しようとする課題】
【０００３】
しかしながら、上述した従来の技術においては、ＩＣカード運転免許証を用いてできる処理が新規の口座開設だけであり、顧客が交通違反を起こした際の反則金の振込みは窓口で行うことができるにもかかわらず自動取引装置を用いては振込みができないという問題がある。
本発明は、上記の問題点を解決するための手段を提供することを目的とする。
【課題を解決するための手段】
【０００４】
本発明は、上記課題を解決するために、ＩＣチップを設けた資格証カードから顧客の識別子を読取るカードリード部と表示部とを有する自動取引装置と、資格に関わる違反情報を顧客の識別子に関連づけて記憶する管理サーバとを備えた自動取引システムであって、前記自動取引装置は、違反に関わる金融取引を行うとき、前記カードリード部によって顧客の資格証カードから識別子を読取り、その識別子を前記管理サーバに送信し、前記管理サーバは、受信した識別子に関連する違反情報及び金融取引金額を前記自動取引装置に送信し、前記自動取引装置は、受信した違反情報及び金融取引金額を前記表示部に表示し、顧客によりその金融取引が行われると、前記管理サーバに違反に関わる金融取引が実行されたことを示す通知を送信することを特徴とする。
【発明の効果】
【０００５】
これにより、本発明は、自動取引装置で反則金の振込みを行うことが可能となり、顧客にとっては窓口で取引を行うための順番待ちがなくなるので、利便性が向上するという効果が得られる。
【発明を実施するための最良の形態】
【０００６】
以下に、図面を参照して本発明による自動取引システムの実施例について説明する。
【実施例１】
【０００７】
図１は実施例１の自動取引システムを示すシステム構成図である。
図１において１は銀行等の金融機関の営業店やコンビニエンスストア等に設置される自動取引装置で、金融機関のセンタに設けられたホストコンピュータ１１及び管理サーバ１２と通信回線１３を介して接続され、情報の通信を行えるようになっている。
この自動取引装置１は、入力部３、表示部４、カードリードライト部５、現金入出金部６、制御部７、記憶部８、通信部９、及び図示しない通帳記帳機、レシートプリンタ等を備えている。
【０００８】
入力部３と表示部４は自動取引装置１正面の接客面に露出させて設けられており、入力部３は表示面を上に向けたＣＲＴディスプレイまたは液晶ディスプレイ等による表示部４上に配置したタッチパネルが用いられ、表示部４に顧客の操作を誘導するメッセージを配した画面や各種の入力キーを表示し、その入力キーをタッチパネル上から指で押下することにより、入力キーに定義された情報を入力できるものとなっていて、表示部４は入力された情報の表示等も行うようになっている。
【０００９】
カードリード部としてのカードリードライト部５は、顧客のキャッシュカード（取引カード）に設けられた磁気ストライプに対して口座番号や店番号等の口座情報の読取及び書込みを行う機能を有すると共に、ＩＣチップを備えた顧客の資格者証明証、例えば自動車の運転免許証（以降、資格証カードと称する場合もある。）から顧客の氏名や住所等の個人情報と免許番号（識別子）等からなる免許情報の読取りを行う機能を有し、そのカード挿入返却口は前記接客面に設けられている。
【００１０】
現金入出金部６は、金融取引に伴う現金の入出金処理を行うもので、紙幣を扱う紙幣入出金機と硬貨を扱う硬貨入出金機により構成され、その紙幣入出金口と硬貨出金口は前記接客面に設けられている。
制御部７は、記憶部８に格納されている制御プログラムに基づいて入力部３や表示部４、カードリードライト部５、現金入出金部６等を制御して各種の取引を遂行する機能を有しており、その遂行に当たっては、通信部９によって通信回線１３を介して上位装置としてのホストコンピュータ１１と通信を行い、必要な情報の授受を行うものとなっている。
【００１１】
また、制御部７は通信部９によって通信回線１３を介して管理サーバ１２に運転免許証から読取った免許情報を送信することで、その免許情報に関連する顧客の違反情報、例えば反則金情報等を受信する送受信機能も有している。
記憶部８は、制御部７が実行する制御のための制御プログラムを格納している他、取引選択画面や各取引における処理ステップ毎の案内画面や入力画面情報等も格納している。
【００１２】
一方、上位装置としてのホストコンピュータ１１は、口座を開設している各顧客の氏名、住所、口座番号、店番号、暗証番号、口座残高等を顧客情報として記憶した顧客情報データベース１１ａを有している。
管理サーバ１２は、顧客の運転免許証の免許情報を管理しており、顧客が起こした交通違反等、自動車の運転（資格）に関する違反内容とその反則金等からなる違反情報を当該顧客の免許情報に関連づけて記憶するための違反情報データベース１２ａを有している。
【００１３】
管理サーバ１２は、図示しない認定者側、例えば警察側で所有して免許情報を管理するサーバと通信可能に接続しており、顧客の免許番号をもとにそのサーバと定期的に交信処理を行って顧客が起こした交通違反の反則金の情報を取得できるようにしており、そのときに取得した反則金の情報を違反情報データベース１２ａに記憶する。
上述した構成の作用について図２に示す実施例１の交通違反の反則金振込処理を示すフローチャートを用い、Ｓで示すステップに従って説明する。
【００１４】
ここで、図３は実施例１の取引選択画面を示す説明図である。
Ｓ１、自動取引装置１の制御部７は、図３に示すように表示部４に入金取引や支払取引、交通違反の反則金を振込むための交通違反金振込取引等の各種金融取引の選択ボタンを配した取引選択画面を表示する。
顧客は表示された取引選択画面から交通違反金振込取引の選択ボタンを押下する。
【００１５】
図４は振込方法選択画面を示す説明図である。
Ｓ２、制御部７は、図４に示す「振込方法を選択してください」等の交通違反の反則金の振込方法を問う文言と、現金による振込を行うための現金ボタン、キャッシュカードを用いて顧客の口座から振込を行うためのカードボタンを配した振込方法選択画面を表示部４に表示する。
【００１６】
Ｓ３、制御部７は、顧客によって現金ボタンが押下された場合は次のステップＳ４に進み、カードボタンが押下された場合はステップＳ１１に移行する。
図５は免許証挿入誘導画面を示す説明図である。
Ｓ４、制御部７は、図５に示す「運転免許証を挿入してください」等のように顧客の運転免許証の挿入を促す文言を配した免許証挿入誘導画面を表示部４に表示する。
【００１７】
顧客は表示された画面に従って運転免許証をカードリードライト部５のカード挿入口に挿入する。
Ｓ５、制御部７は、挿入された運転免許証の免許情報をカードリードライト部５によって読取り、読取った免許情報を記憶部８に記憶すると共に、免許情報から免許番号を認識し、その免許番号を付した違反情報送信依頼を通信部９によって通信回線１３を介して管理サーバ１２に送信する。
【００１８】
なお、この管理サーバ１２との通信は、ホストコンピュータ１１を介しても良いということはいうまでもない。
なお、図６は免許番号照会画面を示す説明図であり、制御部７は上記の免許番号を認識した後、図６に示す「ただいま免許番号より記録を照会しています。しばらくお待ちください。」等の免許番号の照会中である旨の画面を配した免許番号照会画面を表示部４に表示しているものとする。
【００１９】
Ｓ６、管理サーバ１２は、受信した違反情報送信依頼の免許番号をもとに違反情報データベース１２ａを検索し、該当する免許情報に関連する違反情報を読み出してその違反情報を通信回線１３を介して自動取引装置１に送信する。
図７は違反情報確認画面を示す説明図である。
Ｓ７、制御部７は、受信した違反情報を記憶部８に記憶しておき、図７に示す「振込み内容をご確認ください」等の反則金の対象となる違反情報の内容を確認させるための文言、速度違反等の違反内容とその反則金の金額、確認キー等を配した違反情報確認画面を表示部４に表示する。
【００２０】
顧客は、表示された違反情報確認画面から違反情報及び反則金の確認を行い、確認キーを押下する。
Ｓ８、制御部７は、確認キーの押下を認識すると、表示部４に反則金分の現金の投入を促す画面を表示し、顧客によって紙幣入出金口と硬貨入出金口に現金が投入されると、現金入出金部６により投入された現金を計数し、反則金分の現金が投入されたことを確認する。
【００２１】
Ｓ９、制御部７は、記憶している免許情報と違反情報を読出し、その免許情報と違反情報に加え、違反情報に対する反則金が振り込まれた旨の情報を付した反則金振込通知を管理サーバ１２に送信する。
これによって管理サーバ１２は、受信した免許情報をもとに違反情報データベース１２ａを検索し、該当する免許情報に関連づけるようにして、反則金の振込みが済んだことを示す振込済み情報を記憶する。
【００２２】
Ｓ１０、制御部７は、挿入されている運転免許証を排出して顧客に返却して現金による反則金振込処理を終了する。
Ｓ１１、制御部７は、上記ステップＳ３でカードボタンが押下されたと判断したとき、キャッシュカードの挿入を促す旨の画面を配したカード挿入画面を表示部４に表示する。
顧客は、カード挿入画面に従ってキャッシュカードをカード挿入返却口に挿入する。
【００２３】
Ｓ１２、制御部７は、顧客によってキャッシュカードが挿入されると、表示部４に暗証番号の入力を促す暗証番号入力案内画面を表示する。
顧客は暗証番号入力案内画面に従って暗証番号を入力する。
Ｓ１３、制御部７は、入力された暗証番号を記憶部８に記憶しておき、カードリードライト部５に挿入されているキャッシュカードから口座情報を読取り、記憶部８から暗証番号を読み出し、その暗証番号と口座情報とを付した顧客確認依頼をホストコンピュータ１１に送信する。
【００２４】
Ｓ１４、ホストコンピュータ１１は、受信した顧客確認依頼の口座情報をもとに顧客情報データベース１１ａを検索し、該当する顧客情報の暗証番号と受信した暗証番号とを照合してその一致を確認すると、顧客確認電文を自動取引装置１に送信する。
Ｓ１５、制御部７は、顧客確認電文を受信すると、上記ステップＳ４と同様にして顧客の運転免許証の挿入を促す文言を配した免許証挿入誘導画面を表示部４に表示する。
【００２５】
顧客は表示された画面に従って運転免許証をカードリードライト部５のカード挿入口に挿入する。
Ｓ１６、制御部７は、挿入されている運転免許証の免許情報をカードリードライト部５によって読取り、読取った免許情報を記憶部８に記憶すると共に、免許情報から免許番号を認識し、その免許番号を付した違反情報送信依頼を通信部９によって通信回線１３を介して管理サーバ１２に送信する。
【００２６】
ここでの管理サーバ１２との通信においても、ホストコンピュータ１１を介して行うようにしてもよい。
制御部７は上記の免許番号を認識した後、免許番号の照会中である旨の画面を配した免許番号照会画面を表示部４に表示する。
Ｓ１７、管理サーバ１２は、受信した違反情報送信依頼の免許番号をもとに違反情報データベース１２ａを検索し、該当する違反情報を読み出してその違反情報を通信回線１３を介して自動取引装置１に送信する。
【００２７】
Ｓ１８、制御部７は、受信した違反情報を記憶部８に記憶しておき、上記ステップＳ７と同様にして反則金の対象となる違反情報の内容を確認させるための文言、速度違反等の違反内容とその反則金の金額、確認キー等を配した違反情報確認画面を表示部４に表示する。
顧客は表示された違反情報確認画面から違反情報及び反則金の確認を行い、確認キーを押下する。
【００２８】
Ｓ１９、制御部７は、確認キーの押下を認識すると、挿入されているキャッシュカードから口座情報を読取ると共に、記憶している違反情報と免許情報を読み出し、その口座情報と違反情報、免許情報を付した反則金振込指示をホストコンピュータ１１に送信する。
Ｓ２０、ホストコンピュータ１１は、受信した反則金振込指示の口座情報をもとに顧客情報データベース１１ａから顧客情報を読み出し、その顧客情報の口座残高と受信した違反情報の反則金とを比較することで、顧客の口座から反則金の分を差し引くことが可能であることを確認し、顧客の口座残高から反則金の分を差し引いて振込済通知を自動取引装置１に送信する。
【００２９】
また、ホストコンピュータ１１は受信した免許情報と違反情報とを付した反則金振込済電文を管理サーバ１２に送信することで、管理サーバ１２に対して違反情報データベース１２ａの当該免許情報に関連づけるようにして違反情報の反則金の振込みが済んだことを示す振込済み情報を記憶させる。
振込済みとなった違反情報は違反情報データベース１２ａより即時消去してもよいし、所定期間経過後に消去してもよいし、振込済情報を付加して記憶してもよい。振込済情報が付加された場合の再度の反則金振込処理の照会（ステップＳ６、Ｓ７）では、管理サーバ１２から自動取引装置１へ反則金の振込が済んでいる旨を伝えるため、「反則金入金済」情報の返信、または「該当なし」情報を送信するようにする。
【００３０】
図８は運転免許証返却画面を示す説明図である。
Ｓ２１、制御部７は、口座残高から反則金の振込みが済んだ旨の画面を表示部４に表示し、図８に示す「免許証を受け取ってください」等の文言を配した運転免許証返却画面を表示すると共に、挿入されている運転免許証を排出して顧客に返却する。
Ｓ２２、制御部７は、挿入されているキャッシュカードを排出して顧客に返却して顧客の口座を利用した反則金振込処理を終了する。
【００３１】
以上説明したように、本実施例においては、顧客の違反情報を管理するための管理サーバを設けておき、自動取引装置は運転免許証から免許情報を読取ってその免許情報をもとに管理サーバから違反情報を受信し、受信した違反情報の反則金に対する支払いが可能となったため、顧客にとっては金融機関の窓口に赴くことなく反則金の支払いが可能となり、窓口での順番待ちの手間を省くことができるので、利便性が向上するという効果が得られる。
【実施例２】
【００３２】
本実施例の自動取引システムの構成は上記実施例１の構成と同様であり、各部分については同一の符号を付してその説明を省略する。
以下に運転免許証を用いた顧客の登録情報変更処理を図９に示す運転免許証を用いた登録情報変更処理を示すフローチャートを用いて、ＳＡで示すステップに従って説明する。
図１０は実施例２の取引選択画面を示す説明図であり、上述した実施例１の図３に示す取引選択画面に、顧客の氏名や住所を変更するための登録情報変更取引の選択ボタンを追加したものである。
【００３３】
ここでは、顧客は例えば婚姻等に伴い、氏と住所が変更しているものとし、そのため金融機関で登録されている氏名と住所の変更を行うものとする。
ＳＡ１、自動取引装置１の制御部７は、図１０に示すように表示部４に入金取引や支払取引、交通違反金振込取引、登録情報変更取引等の各種取引の選択ボタンを配した取引選択画面を表示する。
【００３４】
顧客は表示された取引選択画面から登録情報変更取引の選択ボタンを押下する。
図１１はキャッシュカード挿入誘導画面を示す説明図である。
ＳＡ２、制御部７は、図１１に示す「キャッシュカードをいれてください」等のキャッシュカードの挿入を促す旨の文言を配したキャッシュカード挿入誘導画面を表示部４に表示する。
【００３５】
顧客は表示されたキャッシュカード挿入誘導画面に従ってキャッシュカードをカード挿入口に挿入する。
ＳＡ３、制御部７は、キャッシュカードが挿入されると、表示部４に暗証番号の入力を促す暗証番号入力案内画面を表示する。
顧客は暗証番号入力案内画面に従って暗証番号を入力する。
【００３６】
ＳＡ４、制御部７は、入力された暗証番号を記憶部８に記憶しておき、カードリードライト部５に挿入されているキャッシュカードから口座情報を読取り、記憶部８から暗証番号を読み出し、その暗証番号と口座情報とを付した顧客情報依頼をホストコンピュータ１１に送信する。
ＳＡ５、ホストコンピュータ１１は、受信した顧客情報依頼の口座情報をもとに顧客情報データベース１１ａを検索し、該当する顧客情報の暗証番号と受信した暗証番号とを照合してその一致を確認し、顧客情報から顧客の氏名と住所を抽出してその氏名と住所を付した顧客情報電文を自動取引装置１に送信する。
【００３７】
図１２は登録内容確認画面を示す説明図である。
ＳＡ６、制御部７は、顧客情報電文を受信すると、図１２に示す「現在のお客様の情報です」等の文言と、顧客情報電文に付されている氏名と住所を示す画面、表示された内容を確認した旨を入力する確認キーを配した登録内容確認画面を表示する。
図１３は運転免許証挿入誘導画面を示す説明図である。
【００３８】
ＳＡ７、制御部７は、顧客が登録内容確認画面の確認キーを押下すると、図１３に示す「運転免許証をいれてください」等の運転免許証の挿入を促す文言を配した運転免許証挿入誘導画面を表示部４に表示する。
顧客は表示された画面に従って運転免許証をカードリードライト部５のカード挿入口に挿入する。
【００３９】
図１４は変更内容確認画面を示す説明図である。
ＳＡ８、制御部７は、挿入された運転免許証の免許情報をカードリードライト部５によって読取り、その免許情報から氏名と住所を抽出して図１４に示すように、抽出した氏名と住所、その氏名と住所に従って顧客情報データベース１１ａが記憶する顧客情報の内容を変更するか否かを決定するための“はい”キー、“いいえ”キー等を配した変更内容確認画面を表示する。
【００４０】
ＳＡ９、制御部７は、顧客により“はい”キーが押下されたときはステップＳＡ１１に移行し、“いいえ”キーが押下されたときは次のステップＳＡ１０に進む。
図１５は運転免許証およびキャッシュカード返却画面を示す説明図である。
ＳＡ１０、制御部７は、“いいえ”キーの押下を認識すると、図１５に示す「カードを受け取ってください。」等の運転免許証とキャッシュカードの受け取りを促す文言等を配した運転免許証およびキャッシュカード返却画面を表示部４に表示すると共に、運転免許証とキャッシュカードを順に排出して顧客に返却し、登録情報変更処理を中止して終了する。
【００４１】
ＳＡ１１、制御部７は、“はい”キーの押下を認識すると、上記ステップＳＡ８で抽出した氏名と住所、挿入されているキャッシュカードから読取った口座情報を付した顧客情報変更依頼をホストコンピュータ１１に送信する。
ＳＡ１２、ホストコンピュータ１１は、受信した口座情報をもとに顧客情報データベース１１ａを検索し、該当する顧客情報を読み出してその顧客情報に含まれる顧客の氏名と住所を、受信した氏名と住所に置き換えるようにして顧客情報の内容を更新して記憶し、変更完了通知を自動取引装置１に送信する。
【００４２】
ＳＡ１３、制御部７は、表示部４に氏名と住所の変更が完了した旨の画面を表示すると共に、運転免許証とキャッシュカードを順に排出して顧客に返却し、登録情報変更処理を終了する。
以上説明したように、本実施例では、上記実施例１の効果に加えて、運転免許証から現在の顧客の氏名と住所を読取って、その氏名と住所にもとづいてホストコンピュータの顧客情報データベースに記憶している顧客情報の氏名と住所を変更するので、顧客にとっては窓口に赴いて氏名及び住所を変更するための手続を行う手間を省くことができ、顧客にとっての利便性を向上させることができる。
【００４３】
また、運転免許証の内容をそのまま用いて自動的に氏名及び住所の変更を行うので、窓口で顧客により記入された氏名や住所を変更するための書類を取扱う場合と比較して人為的な誤りを無くすことができるという効果が得られる。
なお、上記実施例２においては、取引選択画面で登録情報変更取引の選択キーの押下によって登録情報を変更するための処理を開始していたが、これに限らず交通違反金振込取引の実行中で、特に口座から振込みを行う場合に登録情報を変更できるようにしてもよい。
【００４４】
その場合は、ホストコンピュータ１１は上記実施例１のステップＳ１４に示す顧客確認電文を送信する際に、その顧客の氏名と住所を同時に送信するようにし、自動取引装置１の制御部７は挿入されている運転免許証から顧客の氏名と住所を読取って、それらと受信した氏名と住所とをそれぞれ比較し、不一致であった場合に、表示部４に氏名あるいは住所の変更の有無を問う画面を表示するようにする。
【００４５】
なお、上述した各実施例においては、顧客の確認をする際にキャッシュカードに格納された口座情報と顧客が入力した暗証番号とを用いて行うものとして説明したが、これに限らず顧客の運転免許証の免許番号と顧客の免許取得後の運転暦（年数）とによって顧客の確認を運転免許証に関連する情報によって行うようにしてもよい。その場合は予め運転暦に必要な顧客が運転を開始した時期等の情報を顧客の免許情報に関連付けて管理サーバに記憶しておき、自動取引装置の表示部に運転暦を問う画面と入力欄、テンキー等を配した画面を表示して、そこで入力された運転暦を免許情報と共に管理サーバに送信することで、管理サーバから運転暦の照合結果を受け取って顧客の確認を行うようにする。
【００４６】
さらに上述した各実施例においては自動車の運転免許証を例に説明したが、これに限らずＩＣチップを搭載した資格証カードであれば、船舶や航空機等の免許証や公的な資格の取得に伴って発行される資格証カードを適用してもよいし、カード媒体に限定するものではない。
【図面の簡単な説明】
【００４７】
【図１】実施例１の自動取引システムを示すシステム構成図
【図２】実施例１の交通違反の反則金振込処理を示すフローチャート
【図３】実施例１の取引選択画面を示す説明図
【図４】振込方法選択画面を示す説明図
【図５】免許証挿入誘導画面を示す説明図
【図６】免許番号照会画面を示す説明図
【図７】違反情報確認画面を示す説明図
【図８】運転免許証返却画面を示す説明図
【図９】運転免許証を用いた登録情報変更処理を示すフローチャート
【図１０】実施例２の取引選択画面を示す説明図
【図１１】キャッシュカード挿入誘導画面を示す説明図
【図１２】登録内容確認画面を示す説明図
【図１３】運転免許証挿入誘導画面を示す説明図
【図１４】変更内容確認画面を示す説明図
【図１５】運転免許証およびキャッシュカード返却画面を示す説明図
【符号の説明】
【００４８】
１    自動取引装置
３    入力部
４    表示部
５    カードリードライト部
６    現金入出金部
７    制御部
８    記憶部
９    通信部
１１  ホストコンピュータ
１１ａ  顧客情報データベース
１２  管理サーバ
１２ａ  違反情報データベース
１３  通信回線
【図１】
0005280729.tif 000002
【図２】
0005280729.tif 000003
【図３】
0005280729.tif 000004
【図４】
0005280729.tif 000005
【図５】
0005280729.tif 000006
【図６】
0005280729.tif 000007
【図７】
0005280729.tif 000008
【図８】
0005280729.tif 000009
【図９】
0005280729.tif 000010
【図１０】
0005280729.tif 000011
【図１１】
0005280729.tif 000012
【図１２】
0005280729.tif 000013
【図１３】
0005280729.tif 000014
【図１４】
0005280729.tif 000015
【図１５】
0005280729.tif 000016